(57)【要約】【課題】自然に分解する部材からなり、水中種子植物の種子又は苗を備えた小型軽量かつ簡単な構造で、水中種子植物が効率よく繁茂することのできる水中種子植物の造成基盤及びその敷設方法を提供する。【解決手段】自然に分解する材料からなり発芽した草体が通り抜けできる穴を有する第１、第２の基材２，３と、自然に分解する材料からなり発芽した根や地下茎が通り抜けできる穴を有するフエルト状の第１のマット４と、自然に分解する材料からなり発芽した草体が通り抜けできる穴を有する第２のマット５とを有し、第１の基材２上に載置した第１のマット４の上に種子を混入した砂泥等６を伸展し、この第１のマット４上に第２のマット５及び第２の基材３を順次載置し、第１、第２の基材２，３の周縁部を自然に分解する材料からなる複数の固定具により固定した。【選択図】        図１
2004159512.tif 000002
【特許請求の範囲】
【請求項１】
自然に分解する材料からなり発芽した草体が通り抜けできる穴を有する第１、第２の基材と、自然に分解する材料からなり発芽した根や地下茎が通り抜けできる穴を有するフエルト状の第１のマットと、自然に分解する材料からなり発芽した草体が通り抜けできる穴を有する第２のマットとを有し、
前記第１の基材上に載置した第１のマットの上に種子を混入した砂泥等を伸展し、前記第１のマット上に第２のマット及び第２の基材を順次載置し、前記第１、第２の基材の周縁部を自然に分解する材料からなる複数の固定具により固定したことを特徴とする水中種子植物の造成基盤。
【請求項２】
前記造成基盤を、縦５００ｍｍ、横５００ｍｍ程度に形成したことを特徴とする請求項１記載の水中種子植物の造成基盤。
【請求項３】
請求項１又は２に係る複数の造成基盤を自然に分解する材料からなるロープで連結し、敷設水域において順次水中に降して水底に敷設することを特徴とする水中種子植物の造成基盤の敷設方法。
【請求項４】
前記造成基盤を造成基盤運搬容器内に収容し、常時湿潤状態に維持して敷設水域へ運搬することを特徴とする請求項３記載の水中種子植物の造成基盤の敷設方法。
【発明の詳細な説明】
【０００１】
【発明の属する技術分野】
本発明は、水生種子植物の造成基盤及びその敷設方法に関するものである。
【０００２】
【従来の技術】
近年、沿岸地域の開発などにより、例えばアマモの如き水生種子植物の生息適地が著しく減少しており、このため、人工的に水生種子植物場の造成が試みられている。
このアマモ造成のための播種シート及び播種方法として、生分解性樹脂からなる網状シート部材にアマモの種子を所定の播種密度となるように固定させてロール状に巻いた播種シートを製造し、この播種シートをアマモを造成する水底に敷設装置により回転させながら拡げて敷設するようにした発明がある（例えば、特許文献１参照）。
【０００３】
また、アマモ草体が潜り抜け可能な孔を穿孔した網状体で、堆積した漂砂が面上に若干被る程度の高さに形成した底抜箱状の上部工の下に、堆積した砂の重量を受け止めると共に地下茎が絡み付き可能な孔を穿設した網状体の下部工を配する。そして、上部工と下部工の間に、波浪に正対して漂砂を捕えるに適した流速減衰機能を備えた壁体を立設させた中部工を介設すると共に、一部にアマモ種子を内蔵させた播種袋を配設し、周囲に端部の洗堀を防止する板状の安定工を配設した発明がある。なお、上部工と中部工は海水中で自発的に腐食消失する金属素材で形成されている（例えば、特許文献２参照）。
【０００４】
【特許文献１】
特開平１０−４２６２６号公報
【特許文献２】
特開２００２−１７１８５２号公報
【０００５】
【発明が解決しようとする課題】
特許文献１に記載された発明は、回転体にロール状に巻かれた播種シートを積載した台船を目的地に移動し、回転体を吊り具にセットしてクレーンにより海中に降し、播種シートを拡げながら海底に敷設するようにしているため、敷設設備がきわめて大がかりになり、高額の敷設費用がかかるという問題がある。
さらに、播種シートは拡げると長大になるため、凹凸や岩石等が存在する海底にはなじまず、敷設後に移動することもできないため、場所によっては根及び地下茎が海底に伸展できず、アマモが十分繁茂できないおそれがある。
【０００６】
特許文献２に記載された発明は、上部工、中部工、安定工、下部工等多くの部材からなるため構造が複雑であり、工全体の外形が９００×９００×５０（ｍｍ）に達する大きさのため、陸上での運搬には支障がないサイズであるが、水中では水の抵抗が大きく、移動させることが困難である。また、アマモの種子は袋に入れられているため発芽しにくく、発芽しても根が張りにくいため定着性が悪いという問題がある。
さらに、アマモの種子及び苗は乾燥すると枯死してしまうため、常に湿潤状態に保つことが必要である。しかし、特許文献１には、アマモの種子をカプセル内に封入したり、種子の表面を被覆することにより乾燥を防止するとの記載はあるが、具体的手段については記載されておらず、特許文献２には乾燥防止の対策については記載されていない。
【０００７】
本発明は、上記の課題を解決するためになされたもので、自然に分解する材料からなり、水中種子植物の種子又は苗を備えた小型軽量かつ簡単な構造で、水中種子植物が効率より繁茂することのできる水中種子植物の造成基盤を提供することを目的とするものである。
また、本発明は、簡単な設備及び手段により季節を問わず水中に敷設することのできる水中種子植物の造成基盤の敷設方法を提供することを目的としたものである。
【０００８】
【課題を解決するための手段】
（１）本発明に係る水中種子植物の造成基盤は、自然に分解する材料からなり発芽した草体が通り抜けできる穴を有する第１、第２の基材と、自然に分解する材料からなり発芽した根や地下茎が通り抜けできる穴を有するフエルト状の第１のマットと、自然に分解する材料からなり発芽した草体が通り抜けできる穴を有する第２のマットとを有し、前記第１の基材上に載置した第１のマットの上に種子を混入した砂泥等を伸展し、前記第１のマット上に第２のマット及び第２の基材を順次載置し、前記第１、第２の基材の周縁部を自然に分解する材料からなる複数の固定具により固定したものである。
【０００９】
（２）上記（１）の造成基盤を、縦５００ｍｍ、横５００ｍｍ程度に形成した。
【００１０】
（３）また、本発明に係る水中種子植物の造成基盤の敷設方法は、上記（１）又は（２）に係る複数の造成基盤を自然に分解するロープで連結し、敷設水域において順次水中に降して水底に敷設するようにしたものである。
【００１１】
（４）上記（３）の造成基盤を造成基盤運搬容器内に収容して常時湿潤状態で敷設水域へ運搬するようにした。
【００１２】
【発明の実施の形態】
［実施の形態１］
図１は本発明の実施の形態１に係る水中種子植物の造成基盤の一部を断面で示した模式図、図２はその分解斜視図である。なお、以下の説明では、水中種子植物としてアマモを造成する場合について説明する。
両図において、１はアマモの造成基盤である。２は例えば鋼材からなる金網のように海中で自然に腐食して分解する金属材料からなる第１の基材で、発芽したアマモの草体が通り抜けることのできる大きさの多数の穴（網目）が設けられている。３は第１の基材２と同じ材料、同じ構造の第２の基材で、両基材２，３は縦横の長さが５００ｍｍ程度のものである。なお、第１、第２の基材２，３の外周縁には、自然に腐食して分解する金属材料からなる額縁状の枠を設けてもよい。また、第１、第２の基材２，３は、金網に代えて鋼製のエキスバントメタルやパンチングメタル等を用いてもよい。
【００１３】
４は天然繊維や生分解性繊維などの自然に分解する材料からなり、発芽したアマモの根や地下茎が通り抜けることのできる大きさの多数の小さい穴を有するフエルト状の第１のマット、５は天然繊維や生分解性繊維などの自然に分解する材料からなり、発芽したアマモの草体が通り抜けることのできる大きさの多数の穴（網目）を有する第２のマットで、これら第１、第２のマット４，５は、第１、第２の基材２，３とほぼ同じ大きさか又は若干小さく形成されている。６はアマモの種子を混入した砂泥又は砂泥状のもの（以下、砂泥等という）である。
【００１４】
上記のような部材からなる造成基盤１を組立てるにあたっては、先ず、第１の基材２の上に第１のマット４を載置し、ついで、第１のマット４の上にアマモの種子を混入した砂泥等６を盛上げて、第１のマット４のほぼ全面にわたって種子が所定の密度でほぼ均等に分布するように均らし、平坦にする。なお、このとき、砂泥等６に肥料を混入してもよい。
次に、第１のマット４の上に第２のマット５を載置し、さらに、その上に第２の基材３を載置する。そして、上下に設けられた第１、第２の基材２，３の周縁部を、自然に腐食して分解する材料からなる例えば鋼製のクリップの如き複数の固定具（図示せず）で挟んで、一体に固定する。
【００１５】
これにより、アマモの種子を混入した砂泥等６は、第１、第２のマット４，５の間に挟まれて確実に保持される。
このように、本発明に係る造成基盤１は、特殊な材料を使用することなく構造も簡単なので、容易かつ安価に製造することができる。なお、造成基盤１は、例えば、縦５００ｍｍ、横５００ｍｍ、厚み（高さ）１０〜１５ｍｍ程度の大きさであり、基盤本体の重量は３ｋｇ程度、アマモの種子を混入した砂泥等６を第１、第２のマット４，５間に配設した場合の全重量は５ｋｇ程度である。
【００１６】
上記のような造成基盤１はあらかじめ工場等で製造され、水槽等の中に浸漬して保管される。このため、季節によってはアマモの種子が発芽し、草体が第２のマット５、第２の基材３の穴から伸び出すことがあり、また、根が第１のマット４に絡み付き、一部の根は第１のマット４の穴から伸展することがあるが、根があまり長くならなければ海底への敷設には支障がない。
【００１７】
次に、上記のように構成した造成基盤１の海底への敷設手順の一例について説明する。
先ず、複数の造成基盤１を、図３に示すように、天然素材からなり自然に分解する材料からなる所定長さの２本のロープ１０で連結し、小型船１１に積込んで敷設海域へ運搬する。なお、ロープ１０の長さは、敷設場所、敷設密度、その他の条件により適宜設定する。
【００１８】
ところで、前述のようにアマモの種子及び苗は、乾燥すると枯死してしまうため常に湿潤状態にしておくことが必要である。このため、敷設にあたっては、工場等の保管場所（例えば、水槽内）から敷設海域に移動する間、図４に示すような造成基盤運搬容器２０（以下、運搬容器という）内に収容し、湿潤状態を保ちながら運搬するようにした。
【００１９】
図４において、２１は運搬容器２０を構成する前面が開口した箱状の容器本体で、両側板の内壁には上下方向に適宜間隔で棚板２２が対向して設けられており、天板には容器本体１内に海水を散布するための例えば金網の如き散布部材２３が設けられている。なお、図には容器本体２１の前面を開口した場合を示したが、湿潤状態をより確定に維持するためには、前面の開口部を扉等で閉じることが望ましい。
この容器本体２１内に造成基盤１を挿入し、棚板２２上に順次載置して敷設海域へ運搬する。この間例えばバケツ２４により適宜散布部材２３の上から海水を流し込んで容器本体１内に散布すれば、海水は各造成基盤１を経て順次流下し、下部から容器本体２１外に流出する。これにより、造成基盤１、したがって、アマモの種子や苗は常に湿潤状態を保つことができ、遠隔地で播種又は育苗されたアマモを安全に運搬することができる。なお、バケツにより海水を給水する場合を示したが、例えばポンプにより海水を汲上げて自動的に給水するなど、海水の給水には適宜の手段を用いることができる。
【００２０】
敷設船１１が敷設海域に到達したときは、図３に示すように、運搬容器２０から取出した造成基盤１をロープ１０で連結して順次船尾から繰出して海中に降し、先端部の造成基盤１を杭１２などにより海底に固定する。海中に降された造成基盤１は自重により沈下し、所定の間隔（ロープ１０の長さに対応）で海底に敷設される。なお、本発明に係る造成基盤１は、厚み（高さ）が薄い（例えば、１０〜１５ｍｍ程度）ため波浪等の影響を受けにくいが、海象条件が厳しく安定しにくい場合は、各造成基盤１ごとに又は適宜間隔で杭などにより海底に固定すればよい。
【００２１】
造成基盤１の敷設にあたっては、敷設船が小型なので、アマモが繁茂するに適する浅い海域（例えば、水深２ｍ程度）にも進入することができ、これにより造成基盤１の敷設海域を大幅に拡大することができる。
また、複数の造成基盤１をロープ１０で連結して順次海中に投下するようにしたので、敷設作業が容易であり作業効率を大幅に向上することができる。さらに、複数の小型の造成基盤１をロープ１０で連結することにより、造成基盤１の間隔及び数量を敷設海域の状態に合わせて調整できるので、複雑な海底地形にも対応することができる。
【００２２】
また、敷設海底の状態によっては一部の造成基盤１を移動させたい場合があるが、本発明に係る造成基盤１は小型軽量で水の抵抗も小さいため、１人の潜水士１３により好ましい場所に移動させることができる。
さらに、敷設の際に重機等を使用しないので、例えば、干潮時などに浅い海域に造成基盤１を敷設する場合は、潜水士１３を必要とすることなく、アマモ場造成を必要とする漁業者などでも敷設作業を行うことができる。
【００２３】
また、造成基盤１は小型でロープ１０により連結することができるので、大規模のアマモ場の造成を容易に行うことができると共に、小規模のアマモ場の造成も効率よく行うことができる。さらに、必要に応じて、大規模のアマモ場の造成を行う前に、小規模の適地選定試験を行うこともできる。
【００２４】
このようにして海底に敷設された造成基盤１は、アマモの種子が発芽し、あるいは苗が成長してその根や地下茎が第１のマット４に伸展すると共に、第２のマット５、第２の基材３の穴を通って上方に伸び、繁茂してアマモ群落が形成される。そして、アマモが成長するにつれて海底の天然地盤にもアマモの根や地下茎が伸展し、さらに繁茂する。
このように、本発明においては、アマモの種子を混入した砂泥等６を、下面の穴の小さい第１のマット４と、上面の穴の大きい第２のマット５との間に挟持して保持するようにしたので、アマモの種子の発芽率及び発芽後の根や地下茎の固着率を大幅に向上させることができる。
【００２５】
また、造成基盤１は、腐食により自然に分解する材料で形成されているので、時間の経過と共に自然に分解して消失し、アマモ群落だけが残り、アマモの根や地下茎により地盤が安定し、アマモ群落が維持される。
【００２６】
［実施の形態２］
実施の形態１では、アマモの種子を混入した砂泥等６を、穴の小さい第１のマット４と、穴の大きい第２のマット５との間に挾持して保持する場合を示したが、第１のマット４に、第２のマット５と同じ大きさの穴を有するマットを用いてもよい。これにより、施工性を向上することができる。
【００２７】
上記の説明では、主としてアマモの種子を混入した砂泥等６を第１のマット４と第２のマット５の間に保持させた造成基盤１を海底に敷設する場合を示したが、水槽内等において造成基盤１から発芽したアマモの苗を育苗したのち海中に敷設してもよい。このように、アマモを種子の状態で、又は発芽した苗を育苗した状態の造成基盤１を形成することにより、季節に関係なく、造成基盤１をいつでも海中に敷設することができる。
【００２８】
また、上記の説明では、アマモの種子を内蔵した造成基盤１により海中にアマモ場を造成する場合を示したが、本発明はこれに限定するものではなく、海水中又は淡水中で育成され繁茂する他の水中種子植物場の造成にも本発明を実施することができる。
【００２９】
【発明の効果】
本発明は、第１の基材上に載置した第１のマットの上に種子を混入した砂泥を伸展し、この第１のマットの上に第２のマット及び第２の基材を順次載置して第１、第２の基材の周縁部を自然に分解する材料からなる複数の固定具により固定するようにしたので、小型軽量かつ安価で環境にやさしい水中種子植物の造成基盤を得ることができ、またこの造成基盤を水中種子植物場が成立しにくい水域に敷設することにより、水中種子植物群落を成立させることができる。
【００３０】
また、本発明は、小型の敷設船に上記の造成基盤をロープで連結して積込み、敷設水域に運搬して順次水中に降して敷設するようにしたので、水中への敷設が容易で浅い水域にも敷設することができるため、敷設船による敷設領域を拡大することができる。また造成基盤は小型軽量なので、投下した造成基盤を移動することにより敷設位置を容易に調整することができる。
【図面の簡単な説明】
【図１】本発明の一実施の形態に係る造成基盤の一部を断面で示した模式図である。
【図２】図１の分解斜視図である。
【図３】本発明に係る造成基盤の敷設方法の説明図である。
【図４】造成基盤の運搬に使用する運搬容器の説明図である。
【符号の説明】
１  水中種子植物の造成基盤
２  第１の基材
３  第２の基材
４  第１のマット
５  第２のマット
６  種子を混入した砂泥等
１０  ロープ
１１  敷設船
２０  造成基盤運搬容器
【図１】
2004159512.tif 000003
【図２】
2004159512.tif 000004
【図３】
2004159512.tif 000005
【図４】
2004159512.tif 000006